(57)【特許請求の範囲】
【請求項１】
魚釣りに用いるルアーであって、
ルアー本体と、
前記ルアー本体の頭部から突出して設けられ、互いに斜めに交差するように形成された複数の溝と、前記溝が形成された面の逆側の面の前記溝が形成された部分に対応する部分に設けられ、前記溝が形成されていない部分の厚さと前記溝が形成された部分の厚さとが同じになるように形成された凸部とを有するリップ部と、
を備えたルアー。
【請求項２】
前記リップ部はアルミニウム，真鍮，ステンレス材またはこれらの合金から形成されている、請求項１に記載のルアー。
【請求項３】
前記リップ部の前記溝はＶ字型に窪んでいる、請求項１または２に記載のルアー。
【請求項４】
前記溝は前記リップ部の長さ方向全長の１／２以上形成されている、請求項１〜３のいずれかに記載のルアー。
【発明の詳細な説明】
【０００１】
【発明の属する技術分野】
本発明は、魚釣りに用いるルアーに関する。
【０００２】
【従来の技術】
従来のルアーは、外形を魚体に似せた中空のプラスチック製ルアー本体と、ルアー本体の頭部から斜め下方に突出したリップ部と、ルアー本体頭部に設けられライン（釣糸）を係止可能な釣糸係止部と、ルアー本体の腹部及び尾部に連結されたフック（釣針）とを有している。
【０００３】
この従来のルアーは、水中にキャスティングした後に釣糸を巻き取りながらリトリーブすると、ルアー本体頭部のリップ部に水流を受けて振動しながら泳動する。そして、生き餌のように水中を漂って魚を引きつける。
【０００４】
【発明が解決しようとする課題】
ルアーのリップ部は、プラスチック製のルアー本体と一体的に成形されており、ルアー本体同様にプラスチック製のものが多い。このルアーのリップ部は泳動中に水流を受ける部分であり耐久性の向上が求められている。
【０００５】
ここで、プラスチック製のリップ部を肉厚に形成したり、または、リップ部を金属製部材として強度を向上させることが考えられる。しかし、リップ部の強度を十分に向上させるべくリップ部に一定の厚みをもたせると、リップ部の重さも増加してしまいルアー全体の重量化やルアーのバランスを崩してしまう恐れがある。軽量かつ十分な強度を有する、例えばチタン合金等の金属を用いることも考えられるが、コスト高を招き現実的ではない。
【０００６】
本発明の課題は、軽量かつ十分な耐久性を有するルアーを提供することにある。
【０００７】
【課題を解決するための手段】
発明１にかかるルアーは、魚釣りに用いるルアーであって、ルアー本体と、ルアー本体の頭部から突出して設けられ、互いに斜めに交差するように形成された複数の溝と、溝が形成された面の逆側の面の溝が形成された部分に対応する部分に設けられ、溝が形成されていない部分の厚さと溝が形成された部分の厚さとが同じになるように形成された凸部とを有するリップ部とを備えている。
【０００８】
この場合には、長さ方向に形成された溝部がリップ部の長さ方向の強度を向上させる。そして、泳動時にリップ部に激しく水流が当たった際やリップ部が障害物に衝突した際に、リップ部が折れ曲がったり割れてしまったりするのを防ぐ。
【０００９】
発明２にかかるルアーは、発明１のルアーであって、リップ部はアルミニウム，真鍮，ステンレス材またはこれらの合金から形成されている。
【００１０】
この場合には、リップ部の長さ方向に溝部が形成されており強度が向上しているので、軽量の金属で比較的肉薄にリップ部を形成しても、十分にリップ部の変形や破損を防止可能である。また、リップ部自体の重量化を防止でき、ルアー全体のバランスを損なうこともない。なお、このリップ部は、例えばプレス加工等によって溝を形成することが可能であり製造も容易である。
【００１１】
発明３にかかるルアーは、発明１または２のルアーであって、リップ部の溝はＶ字状に窪んでいる。
【００１２】
この場合には、Ｖ字型の窪みがリップ部の強度を向上させている。また、リップ部の長さ方向にＶ字型に形成された溝部が、ルアーの泳動時の水流を整えるので、ルアーの泳動姿勢が安定する。
【００１３】
発明４にかかるルアーは、発明１〜３のいずれかのルアーであって、溝はリップ部の長さ方向全長の１／２以上にわたって形成されている。
【００１４】
この場合には、所定の長さ以上の溝が形成されているので、十分にリップ部の強度を向上させることができる。
【００１５】
【発明の実施の形態】
［第１参考実施形態］
以下、第１参考実施形態を採用したルアーを、図面を参照しつつ説明する。
【００１６】
本発明の第１参考実施形態を採用したルアーは、図１に示すように、外形を魚に似せて形成されたプラスチック製のルアー本体１と、ルアー本体１の頭部に設けられ斜め下方に突出したリップ部２と、リップ部２の基端側に設けられライン（釣糸）を係止可能な釣糸係止部３と、ルアー本体１の中央から頭部よりの下面及び尾部にそれぞれ設けられたアイ４，５とを有している。これらアイ４，５にはスプリットリング６，７を介してフック（釣針）８，９がぞれぞれ装着されている。
【００１７】
ルアー本体１は、内部に中空を有する中空部材であって、左右対称な一対の半割り部材を開口側で張り合わせて接着剤等で接着し固定したものである。この開口面にはアイ４，５をはめ込んで固定可能な固定部（図示せず）が形成されており、この固定部にアイ４，５は固定されている。また、腹部付近及び尾部付近の中空の一部は区分されており、この区分された部分にそれぞれ錘（図示せず）が配置されている。さらに、ルアー本体１の外面は魚に似せて鱗や鰓などが描かれている。
【００１８】
図２〜４に詳しく示すように、リップ部２はルアー本体１に連結される基端側がやや厚肉に形成された金属製板状部材であって、ルアー本体１の頭部底面側に連結されている。リップ部２の基端側の一部がルアー本体１の頭部に挿入され接着剤等で固定されると共にビスＰ（図１参照）によって固定されている。
【００１９】
このリップ部２は、例えば、アルミニウム，真鍮，ステンレス等の合金からなり、先端部分の肉厚は０．１〜１．０ｍｍ程度である。このリップ部２の幅方向中央付近には長さ方向全長にわたって溝部１０が形成されている。この溝部１０はリップ部２が断面Ｖ字型に折り曲げられることによって形成されている。例えば、所定の形状に加工した金属板をV字型にプレス加工等することによって形成される。溝部１０の深さはリップ部２の長さによっても変化するが、約１．０〜３．０ｍｍ程度である。
【００２０】
また、このリップ部２の溝部１０の基端側には、リング状の釣糸係止部３がリップ部２と一体的に形成されている。
【００２１】
このように構成されたルアーでは、リップ部２の長さ方向に形成された溝部１０がリップ部２の強度が向上させている。そして、泳動時にリップ部２に激しく水流が当たった際やリップ部２が障害物に衝突した際に、リップ部２が折れ曲がったり割れてしまったりするのを防ぐ。特に、軽量の金属で肉薄にリップ部２を形成しても、十分にリップ部２の変形や破損を防止可能である。また、リップ部２自体の重量化を防止でき、ルアー全体のバランスを損なうこともない。
【００２２】
［第２参考実施形態］
以下、第２参考実施形態を採用したルアーを、図面を参照しつつ説明する。
【００２３】
図５及び図６に示すように、本発明の第２参考実施形態を採用したルアーのリップ部１２は、ルアー本体１と一体的に形成された合成樹脂製部材であって、一対の半割部材を開口面で貼り合わせて形成される。そして、ルアー本体１の頭部底面側から斜め下方に突出して配置されている。また、リップ部１２の基端側の貼り合わせ面にはリング状の釣糸係止部３が配置されて固定されている。
【００２４】
このリップ部２の幅方向左右付近には長さ方向全長にわたって一対の溝部２０ａ，２０ｂが形成されている。具体的には、溝部２０はそれぞれ断面Ｖ字型に形成されている。
【００２５】
なお、その他の構成は第１参考実施形態と同様であり、説明を省略する。
【００２６】
このように構成されたルアーでは、リップ部１２の長さ方向に形成された溝部２０がリップ部１２の強度が向上させている。特に、左右一対の溝部２０が形成されており、リップ部１２の強度は十分に向上されている。そして、泳動時にリップ部１２に激しく水流が当たった際やリップ部１２が障害物に衝突した際に、リップ部１２が折れ曲がったり割れてしまったりするのを防ぐ。
【００２７】
［第１実施形態］
以下、本発明の第１実施形態について図面を参照しつつ説明する。
【００２８】
図７及び図８に示すように、本発明の第１実施形態を採用したルアーのリップ部２２は、合成樹脂製のルアー本体１に連結される基端側がやや厚肉に形成された金属製板状部材であって、ルアー本体１の頭部底面側に連結されている。リップ部２２の基端側の一部がルアー本体１の頭部に挿入され接着剤等で固定されると共にビス等によって固定されている。
【００２９】
このリップ部２２は、第１参考実施形態と同様に、アルミニウム，真鍮，ステンレス等の合金から形成されている。そして、リップ部２２は表面に細かい凹凸２２ａが現れるようにエンボス加工が施されている。この凹凸２２の深さは、リップ部２２の大きさに依存するが、０．１〜１．５mm程度のものが好ましい。あまり大きな凹凸２２を形成すると、リップ部２２が受ける水流が乱雑になり、ルアーが安定した泳動姿勢をとりにくくなる。
【００３０】
なお、その他の構成は第１参考実施形態と同様であり説明を省略する。
【００３１】
このように構成されたルアーでは、リップ部２２の表面にエンボス加工によって形成された複数の凹凸２２ａがリップ部２２の強度が向上させている。そして、泳動時にリップ部２２に激しく水流が当たった際やリップ部２２が障害物に衝突した際に、リップ部２２が折れ曲がったり割れてしまったりするのを防ぐ。
【００３２】
［第３参考実施形態］
以下、本発明の第３参考実施形態について、図面を参照しつつ説明する。
【００３３】
図９及び図１０に示すように、本発明の第３参考実施形態を採用したルアーのリップ部３２は、合成樹脂製のルアー本体１に連結される基端側がやや厚肉に形成された金属製板状部材であって、ルアー本体１の頭部底面側に連結されている。リップ部３２の基端側の一部がルアー本体１の頭部に挿入され接着剤等で固定されると共にビス等によって固定されている。
【００３４】
このリップ部３２は、第１参考実施形態と同様に、アルミニウム，真鍮，ステンレス等の合金から形成されている。そして、リップ部３２は表面に複数の凹部３２ａが形成されている。
【００３５】
なお、その他の構成は第１参考実施形態と同様であり説明を省略する。
【００３６】
このように構成されたルアーでは、リップ部３２の表面に形成された複数の凹部３２ａがリップ部３２の強度が向上させている。
【００３７】
［他の実施形態］
（ａ）リップ部の長さ方向に形成する溝は長さ方向全長にわたって形成しなくてもよい。例えば、リップ部の先端側から長さ方向全長の１／２以上にわたって溝部を形成しても、十分にリップ部の強度を向上させることが可能である。
（ｂ）溝部の断面形状はＶ字型に限定されるものではなく、例えば，Ｕ字型断面形状等にしてもよい。
【００３８】
【発明の効果】
本発明にかかるルアーでは、リップ部の強度が十分に向上されており、軽量かつ耐久性に優れる。
【図面の簡単な説明】
【図１】  本発明の第１参考実施形態を採用したルアーの全体図。
【図２】  図１の頭部付近の参考図。
【図３】  図１の頭部付近の拡大上面図。
【図４】  図３のIV−IV断面図。
【図５】  本発明の第２参考実施形態を採用したルアーの頭部付近の拡大上面図。
【図６】  図５のVI−VI断面図。
【図７】  本発明の第１実施形態を採用したルアーの頭部付近の拡大上面図。
【図８】  図７のVIII−VIII断面図。
【図９】  本発明の第３参考実施形態を採用したルアーの頭部付近の拡大上面図。
【図１０】  図９のＸ−Ｘ断面図。
【符号の説明】
１  ルアー本体
２，１２，２２，３２  リップ部
３  釣糸係止部
１０，２０  溝部
２２ａ  凹凸部
３２ａ  凹部
【図１】
0004065073.tif 000002
【図２】
0004065073.tif 000003
【図３】
0004065073.tif 000004
【図４】
0004065073.tif 000005
【図５】
0004065073.tif 000006
【図６】
0004065073.tif 000007
【図７】
0004065073.tif 000008
【図８】
0004065073.tif 000009
【図９】
0004065073.tif 000010
【図１０】
0004065073.tif 000011